【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
基地局における通信の方法であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ること、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされ、レートマッチングすると決定することが、前記狭帯域物理チャネルの帯域内展開モードに基づく、と、
前記第２のタイプの前記１つまたは複数の通信デバイスに、前記狭帯域物理チャネルの前記割り振られたリソースのサブセットにマッピングされた情報を送信することと
を備え、前記送信することが、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である送信モードに部分的に基づき、前記送信することが、前記ＮＢ−ＰＤＣＣＨと前記ＮＢ−ＰＤＳＣＨとの両方に共通にである空間周波数ブロックコーディング（ＳＦＢＣ）に部分的に基づく送信ダイバーシティに部分的にさらに基づく、方法。
【請求項２】
前記リソースブロックの前記リソースを前記割り振ることが、前記第２のタイプの第１のデバイスとの通信のために、前記リソースブロックの周波数リソースの第１のセットを割り振ることと、前記第２のタイプの第２のデバイスとの通信のために、前記リソースブロックの周波数リソースの第２のセットを割り振ることとを備える、請求項１に記載の方法。
【請求項３】
前記割り振られたリソースの前記サブセットが、アグリゲーションレベルに関連する前記割り振られたリソースの複数のサブセットのうちの第１のサブセットを備える、請求項１に記載の方法。
【請求項４】
前記割り振られたリソースの前記サブセットが、アグリゲーションレベルに関連する前記割り振られたリソースの第１のサブセットと第２のサブセットとにわたる、請求項１に記載の方法。
【請求項５】
前記割り振られたリソースが複数のリソース要素グループを備える、請求項１に記載の方法。
【請求項６】
前記複数のリソース要素グループが、リソース要素の前記第１のセットとリソース要素の前記第２のセットとの周りでレートマッチングされる、請求項５に記載の方法。
【請求項７】
ユーザ機器（ＵＥ）における通信の方法であって、
狭帯域物理チャネルの展開モードを決定すること、ここにおいて、前記展開モードが、帯域内展開モードを備える、と、
前記狭帯域物理チャネルに割り振られたリソースのサブセットにマッピングされた情報を受信すること、ここにおいて、前記受信することが、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である送信モードに部分的に基づき、前記受信することが、前記ＮＢ−ＰＤＣＣＨと前記ＮＢ−ＰＤＳＣＨとの両方に共通にである空間周波数ブロックコーディング（ＳＦＢＣ）に基づく送信ダイバーシティにさらに基づく、と、
前記展開モードに少なくとも部分的に基づいて、前記狭帯域物理チャネルに割り振られたリソースの前記サブセットに関連するレートマッチング構成を決定すること、ここにおいて、前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、と、
前記レートマッチング構成に少なくとも部分的に基づいて、前記受信された情報を復号することと
を備える、方法。
【請求項８】
リソースの前記サブセットが、アグリゲーションレベルに関連する前記狭帯域物理チャネルに割り振られた前記リソースの複数のサブセットのうちの第１のサブセットを備える、請求項７に記載の方法。
【請求項９】
リソースの前記サブセットが、アグリゲーションレベルに関連する前記狭帯域物理チャネルに割り振られた前記リソースの第１のサブセットと第２のサブセットとにわたる、請求項７に記載の方法。
【請求項１０】
前記割り振られたリソースが複数のリソース要素グループを備える、請求項７に記載の方法。
【請求項１１】
前記複数のリソース要素グループが、狭帯域セル固有基準信号（ＮＢ−ＣＲＳ）に割り振られたリソース要素のセットの周りでレートマッチングされる、請求項１０に記載の方法。
【請求項１２】
ワイヤレス通信のための装置であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振るための手段と、
第２のタイプの１つまたは複数の通信デバイスとの通信のための狭帯域物理チャネルに、前記複数のリソースブロックのうちのリソースブロックのリソースを割り振るための手段、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされ、レートマッチングすると決定することが、前記狭帯域物理チャネルの帯域内展開モードに基づく、と、
前記第２のタイプの前記１つまたは複数の通信デバイスに、前記狭帯域物理チャネルの前記割り振られたリソースのサブセットにマッピングされた情報を送信するための手段と
を備え、前記送信することが、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である送信モードに部分的に基づき、前記送信することが、前記ＮＢ−ＰＤＣＣＨと前記ＮＢ−ＰＤＳＣＨとの両方に共通にである空間周波数ブロックコーディング（ＳＦＢＣ）に部分的に基づく送信ダイバーシティに部分的にさらに基づく、装置。
【請求項１３】
ワイヤレス通信のための装置であって、
狭帯域物理チャネルの展開モードを決定するための手段、ここにおいて、前記展開モードが、帯域内展開モードを備える、と、
前記狭帯域物理チャネルに割り振られたリソースのサブセットにマッピングされた情報を受信するための手段、ここにおいて、前記受信することが、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である送信モードに部分的に基づき、前記受信することが、前記ＮＢ−ＰＤＣＣＨと前記ＮＢ−ＰＤＳＣＨとの両方に共通にである空間周波数ブロックコーディング（ＳＦＢＣ）に基づく送信ダイバーシティにさらに基づく、と、
前記展開モードに少なくとも部分的に基づいて、前記狭帯域物理チャネルに割り振られたリソースの前記サブセットに関連するレートマッチング構成を決定するための手段、ここにおいて、前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、と、
前記レートマッチング構成に少なくとも部分的に基づいて、前記受信された情報を復号するための手段と
を備える、装置。
【請求項１４】
ワイヤレス通信のためのコードを記憶する非一時的コンピュータ可読媒体であって、前記コードは、以下をプロセッサによって実行可能な命令を備え、前記命令は、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ること、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされ、レートマッチングすると決定することが、前記狭帯域物理チャネルの帯域内展開モードに基づく、と、
前記第２のタイプの前記１つまたは複数の通信デバイスに、前記狭帯域物理チャネルの前記割り振られたリソースのサブセットにマッピングされた情報を送信することと
を備え、前記送信命令が、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である送信モードに部分的に基づき、前記送信命令は、前記ＮＢ−ＰＤＣＣＨと前記ＮＢ−ＰＤＳＣＨとの両方に共通にである空間周波数ブロックコーディング（ＳＦＢＣ）に部分的に基づく送信ダイバーシティに部分的にさらに基づく、非一時的コンピュータ可読媒体。
【請求項１５】
ワイヤレス通信のためのコードを記憶する非一時的コンピュータ可読媒体であって、前記コードは、以下をプロセッサによって実行可能な命令を備え、前記命令は、
狭帯域物理チャネルの展開モードを決定すること、ここにおいて、前記展開モードが、帯域内展開モードを備える、と、
前記狭帯域物理チャネルに割り振られたリソースのサブセットにマッピングされた情報を受信すること、ここにおいて、前記受信命令が、狭帯域物理ダウンリンク制御チャネル（ＮＢ−ＰＤＣＣＨ）と狭帯域物理ダウンリンク共有チャネル（ＮＢ−ＰＤＳＣＨ）との両方に共通である送信モードに部分的に基づき、前記受信命令が、前記ＮＢ−ＰＤＣＣＨと前記ＮＢ−ＰＤＳＣＨとの両方に共通にである空間周波数ブロックコーディング（ＳＦＢＣ）に基づく送信ダイバーシティにさらに基づく、と、
前記展開モードに少なくとも部分的に基づいて、前記狭帯域物理チャネルに割り振られたリソースの前記サブセットに関連するレートマッチング構成を決定すること、ここにおいて、前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、と、
前記レートマッチング構成に少なくとも部分的に基づいて、前記受信された情報を復号することと
を備える、非一時的コンピュータ可読媒体。
【手続補正２】
【補正対象書類名】明細書
【補正対象項目名】０１５６
【補正方法】変更
【補正の内容】
【０１５６】
[0171]本開示の前の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
基地局における通信の方法であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ることと、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信することと
を備える、方法。
［Ｃ２］
前記狭帯域物理チャネルの展開モードに基づいて、リソース要素の前記第１のセットとリソース要素の前記第２のセットとの周りで、前記割り振られたリソースをレートマッチングすると決定すること
をさらに備える、［Ｃ１］に記載の方法。
［Ｃ３］
前記展開モードが帯域内展開モードを備える、［Ｃ２］に記載の方法。
［Ｃ４］
前記第２のタイプの前記１つまたは複数の通信デバイスに前記情報を前記送信することが、所定の送信モードに基づいて、前記第２のタイプの前記１つまたは複数の通信デバイスに前記情報を送信することを備え、ここにおいて、前記所定の送信モードが、空間周波数ブロックコード（ＳＦＢＣ）に基づく送信ダイバーシティを備える、［Ｃ１］に記載の方法。
［Ｃ５］
前記リソースブロックの前記リソースを前記割り振ることが、前記第２のタイプの第１のデバイスとの通信のために、前記リソースブロックの周波数リソースの第１のセットを割り振ることと、前記第２のタイプの第２のデバイスとの通信のために、前記リソースブロックの周波数リソースの第２のセットを割り振ることとを備える、［Ｃ１］に記載の方法。
［Ｃ６］
前記割り振られたリソースの前記サブセットが、アグリゲーションレベルに関連する前記割り振られたリソースの複数のサブセットのうちの第１のサブセットを備える、［Ｃ１］に記載の方法。
［Ｃ７］
前記割り振られたリソースの前記サブセットが、アグリゲーションレベルに関連する前記割り振られたリソースの第１のサブセットと第２のサブセットとにわたる、［Ｃ１］に記載の方法。
［Ｃ８］
前記割り振られたリソースが複数のリソース要素グループを備える、［Ｃ１］に記載の方法。
［Ｃ９］
前記複数のリソース要素グループが、リソース要素の前記第１のセットとリソース要素の前記第２のセットとの周りでレートマッチングされる、［Ｃ８］に記載の方法。
［Ｃ１０］
ユーザ機器（ＵＥ）における通信の方法であって、
狭帯域物理チャネルの展開モードを決定することと、
前記狭帯域物理チャネルに割り振られたリソースのサブセットにマッピングされた情報を受信することと、
前記展開モードに少なくとも部分的に基づいて、前記狭帯域物理チャネルに割り振られたリソースの前記サブセットに関連するレートマッチング構成を決定することと、
前記レートマッチング構成に少なくとも部分的に基づいて、前記受信された情報を復号することと
を備える、方法。
［Ｃ１１］
前記展開モードが帯域内展開モードを備える、［Ｃ１０］に記載の方法。
［Ｃ１２］
前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、［Ｃ１１］に記載の方法。
［Ｃ１３］
前記展開モードがスタンドアロン展開モードまたはガードバンド展開モードを備える、［Ｃ１０］に記載の方法。
［Ｃ１４］
前記狭帯域物理チャネルに割り振られたリソースの前記サブセットが、狭帯域セル固有基準信号（ＮＢ−ＣＲＳ）に割り振られたリソース要素のセットの周りでレートマッチングされる、［Ｃ１３］に記載の方法。
［Ｃ１５］
リソースの前記サブセットが、アグリゲーションレベルに関連する前記狭帯域物理チャネルに割り振られた前記リソースの複数のサブセットのうちの第１のサブセットを備える、［Ｃ１０］に記載の方法。
［Ｃ１６］
リソースの前記サブセットが、アグリゲーションレベルに関連する前記狭帯域物理チャネルに割り振られた前記リソースの第１のサブセットと第２のサブセットとにわたる、［Ｃ１０］に記載の方法。
［Ｃ１７］
前記割り振られたリソースが複数のリソース要素グループを備える、［Ｃ１０］に記載の方法。
［Ｃ１８］
前記複数のリソース要素グループが、狭帯域セル固有基準信号（ＮＢ−ＣＲＳ）に割り振られたリソース要素のセットの周りでレートマッチングされる、［Ｃ１７］に記載の方法。
［Ｃ１９］
ワイヤレスデバイスにおける通信の方法であって、
狭帯域物理制御チャネルを受信することと、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別することと
を備える、方法。
［Ｃ２０］
前記第１のデータヘッダが、前記狭帯域物理制御チャネル中の制御送信によって割り振られた狭帯域データチャネルを介したデータの送信のための第２のデータヘッダとは異なるサイズを有する、［Ｃ１９］に記載の方法。
［Ｃ２１］
前記データ送信が、データ識別子を用いて、復号された制御送信候補の巡回冗長検査値をデスクランブルすることによって識別される、［Ｃ１９］に記載の方法。
［Ｃ２２］
前記データ送信が、制御チャネル送信のための前記少なくとも１つのフォーマットを識別する場合とは異なる長さを有する巡回冗長検査値を用いて、復号された制御送信候補のための巡回冗長検査を実施することによって識別される、［Ｃ１９］に記載の方法。
［Ｃ２３］
リソースの前記セットが複数のリソース要素グループを備える、［Ｃ１９］に記載の方法。
［Ｃ２４］
ワイヤレス通信のための装置であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振るための手段と、
第２のタイプの１つまたは複数の通信デバイスとの通信のための狭帯域物理チャネルに、前記複数のリソースブロックのうちのリソースブロックのリソースを割り振るための手段と、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、  前記第２のタイプの前記１つまたは複数の通信デバイスに、前記狭帯域物理チャネルの前記割り振られたリソースのサブセットにマッピングされた情報を送信するための手段とを備える、装置。
［Ｃ２５］
前記狭帯域物理チャネルの展開モードに基づいて、リソース要素の前記第１のセットとリソース要素の前記第２のセットとの周りで、前記割り振られたリソースをレートマッチングすると決定するための手段
をさらに備える、［Ｃ２４］に記載の装置。
［Ｃ２６］
前記展開モードが帯域内展開モードを備える、［Ｃ２５］に記載の装置。
［Ｃ２７］
前記第２のタイプの前記１つまたは複数の通信デバイスに前記情報を送信するための前記手段が、所定の送信モードに基づいて、前記第２のタイプの前記１つまたは複数の通信デバイスに前記情報を送信するための手段を備え、ここにおいて、前記所定の送信モードが、空間周波数ブロックコード（ＳＦＢＣ）に基づく送信ダイバーシティを備える、［Ｃ２４］に記載の装置。
［Ｃ２８］
前記リソースブロックの前記リソースを割り振るための前記手段が、前記第２のタイプの第１のデバイスとの通信のために、前記リソースブロックの周波数リソースの第１のセットを割り振るための手段と、前記第２のタイプの第２のデバイスとの通信のために、前記リソースブロックの周波数リソースの第２のセットを割り振るための手段とを備える、［Ｃ２４］に記載の装置。
［Ｃ２９］
前記割り振られたリソースの前記サブセットが、アグリゲーションレベルに関連する前記割り振られたリソースの複数のサブセットのうちの第１のサブセットを備える、［Ｃ２４］に記載の装置。
［Ｃ３０］
前記割り振られたリソースの前記サブセットが、アグリゲーションレベルに関連する前記割り振られたリソースの第１のサブセットと第２のサブセットとにわたる、［Ｃ２４］に記載の装置。
［Ｃ３１］
前記割り振られたリソースが複数のリソース要素グループを備える、［Ｃ２４］に記載の装置。
［Ｃ３２］
ワイヤレス通信のための装置であって、
狭帯域物理チャネルの展開モードを決定するための手段と、
前記狭帯域物理チャネルに割り振られたリソースのサブセットにマッピングされた情報を受信するための手段と、
前記展開モードに少なくとも部分的に基づいて、前記狭帯域物理チャネルに割り振られたリソースの前記サブセットに関連するレートマッチング構成を決定するための手段と、  前記レートマッチング構成に少なくとも部分的に基づいて、前記受信された情報を復号するための手段と
を備える、装置。
［Ｃ３３］
前記展開モードが帯域内展開モードを備える、［Ｃ３２］に記載の装置。
［Ｃ３４］
前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、［Ｃ３３］に記載の装置。
［Ｃ３５］
前記展開モードがスタンドアロン展開モードまたはガードバンド展開モードを備える、［Ｃ３２］に記載の装置。
［Ｃ３６］
前記狭帯域物理チャネルに割り振られたリソースの前記サブセットが、狭帯域セル固有基準信号（ＮＢ−ＣＲＳ）に割り振られたリソース要素のセットの周りでレートマッチングされる、［Ｃ３５］に記載の装置。
［Ｃ３７］
リソースの前記サブセットが、アグリゲーションレベルに関連する前記狭帯域物理チャネルに割り振られた前記リソースの複数のサブセットのうちの第１のサブセットを備える、［Ｃ３２］に記載の装置。
［Ｃ３８］
リソースの前記サブセットが、アグリゲーションレベルに関連する前記狭帯域物理チャネルに割り振られた前記リソースの第１のサブセットと第２のサブセットとにわたる、［Ｃ３２］に記載の装置。
［Ｃ３９］
前記割り振られたリソースが複数のリソース要素グループを備える、［Ｃ３２］に記載の装置。
［Ｃ４０］
ワイヤレス通信のための装置であって、
狭帯域物理制御チャネルを受信するための手段と、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別するための手段と
を備える、装置。
［Ｃ４１］
前記第１のデータヘッダが、前記狭帯域物理制御チャネル中の制御送信によって割り振られた狭帯域データチャネルを介したデータの送信のための第２のデータヘッダとは異なるサイズを有する、［Ｃ４０］に記載の装置。
［Ｃ４２］
前記データ送信が、データ識別子を用いて、復号された制御送信候補の巡回冗長検査値をデスクランブルすることによって識別される、［Ｃ４０］に記載の装置。
［Ｃ４３］
前記データ送信が、制御チャネル送信のための前記少なくとも１つのフォーマットを識別する場合とは異なる長さを有する巡回冗長検査値を用いて、復号された制御送信候補のための巡回冗長検査を実施することによって識別される、［Ｃ４０］に記載の装置。
［Ｃ４４］
リソースの前記セットが複数のリソース要素グループを備える、［Ｃ４０］に記載の装置。
［Ｃ４５］
システムにおけるワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ることと、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信することと
を行わせるように動作可能である、装置。
［Ｃ４６］
前記命令が、前記装置に、
前記狭帯域物理チャネルの展開モードに基づいて、リソース要素の前記第１のセットとリソース要素の前記第２のセットとの周りで、前記割り振られたリソースをレートマッチングすると決定すること
を行わせるために前記プロセッサによって実行可能である、［Ｃ４５］に記載の装置。
［Ｃ４７］
前記展開モードが帯域内展開モードを備える、［Ｃ４６］に記載の装置。
［Ｃ４８］
前記命令は、前記装置に、
所定の送信モードに基づいて、前記第２のタイプの前記１つまたは複数の通信デバイスに前記情報を送信すること、ここにおいて、前記所定の送信モードが、空間周波数ブロックコード（ＳＦＢＣ）に基づく送信ダイバーシティを備える、
を行わせるために前記プロセッサによって実行可能である、［Ｃ４５］に記載の装置。
［Ｃ４９］
前記命令は、前記装置に、
前記第２のタイプの第１のデバイスとの通信のために、前記リソースブロックの周波数リソースの第１のセットを割り振ることと、前記第２のタイプの第２のデバイスとの通信のために、前記リソースブロックの周波数リソースの第２のセットを割り振ることと
を行わせるために前記プロセッサによって実行可能である、［Ｃ４５］に記載の装置。
［Ｃ５０］
前記割り振られたリソースの前記サブセットが、アグリゲーションレベルに関連する前記割り振られたリソースの複数のサブセットのうちの第１のサブセットを備える、［Ｃ４５］に記載の装置。
［Ｃ５１］
前記割り振られたリソースの前記サブセットが、アグリゲーションレベルに関連する前記割り振られたリソースの第１のサブセットと第２のサブセットとにわたる、［Ｃ４５］に記載の装置。
［Ｃ５２］
前記割り振られたリソースが複数のリソース要素グループを備える、［Ｃ４５］に記載の装置。
［Ｃ５３］
システムにおけるワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
狭帯域物理チャネルの展開モードを決定することと、
前記狭帯域物理チャネルに割り振られたリソースのサブセットにマッピングされた情報を受信することと、
前記展開モードに少なくとも部分的に基づいて、前記狭帯域物理チャネルに割り振られたリソースの前記サブセットに関連するレートマッチング構成を決定することと、
前記レートマッチング構成に少なくとも部分的に基づいて、前記受信された情報を復号することと
を行わせるように動作可能である、装置。
［Ｃ５４］
前記展開モードが帯域内展開モードを備える、［Ｃ５３］に記載の装置。
［Ｃ５５］
前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、［Ｃ５４］に記載の装置。
［Ｃ５６］
前記展開モードがスタンドアロン展開モードまたはガードバンド展開モードを備える、［Ｃ５３］に記載の装置。
［Ｃ５７］
前記狭帯域物理チャネルに割り振られたリソースの前記サブセットが、狭帯域セル固有基準信号（ＮＢ−ＣＲＳ）に割り振られたリソース要素のセットの周りでレートマッチングされる、［Ｃ５６］に記載の装置。
［Ｃ５８］
リソースの前記サブセットが、アグリゲーションレベルに関連する前記狭帯域物理チャネルに割り振られた前記リソースの複数のサブセットのうちの第１のサブセットを備える、［Ｃ５３］に記載の装置。
［Ｃ５９］
リソースの前記サブセットが、アグリゲーションレベルに関連する前記狭帯域物理チャネルに割り振られた前記リソースの第１のサブセットと第２のサブセットとにわたる、［Ｃ５３］に記載の装置。
［Ｃ６０］
前記割り振られたリソースが複数のリソース要素グループを備える、［Ｃ５３］に記載の装置。
［Ｃ６１］
システムにおけるワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
狭帯域物理制御チャネルを受信することと、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別することと
を行わせるように動作可能である、装置。
［Ｃ６２］
前記第１のデータヘッダが、前記狭帯域物理制御チャネル中の制御送信によって割り振られた狭帯域データチャネルを介したデータの送信のための第２のデータヘッダとは異なるサイズを有する、［Ｃ６１］に記載の装置。
［Ｃ６３］
前記データ送信が、データ識別子を用いて、復号された制御送信候補の巡回冗長検査値をデスクランブルすることによって識別される、［Ｃ６１］に記載の装置。
［Ｃ６４］
前記データ送信が、制御チャネル送信のための前記少なくとも１つのフォーマットを識別する場合とは異なる長さを有する巡回冗長検査値を用いて、復号された制御送信候補のための巡回冗長検査を実施することによって識別される、［Ｃ６１］に記載の装置。
［Ｃ６５］
リソースの前記セットが複数のリソース要素グループを備える、［Ｃ６１］に記載の装置。
［Ｃ６６］
ワイヤレス通信のためのコードを記憶する非一時的コンピュータ可読媒体であって、前記コードは、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ることと、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信することと
を行うためにプロセッサによって実行可能な命令を備える、非一時的コンピュータ可読媒体。
［Ｃ６７］
ワイヤレス通信のためのコードを記憶する非一時的コンピュータ可読媒体であって、前記コードは、
狭帯域物理チャネルの展開モードを決定することと、
前記狭帯域物理チャネルに割り振られたリソースのサブセットにマッピングされた情報を受信することと、
前記展開モードに少なくとも部分的に基づいて、前記狭帯域物理チャネルに割り振られたリソースの前記サブセットに関連するレートマッチング構成を決定することと、
前記レートマッチング構成に少なくとも部分的に基づいて、前記受信された情報を復号することと
を行うためにプロセッサによって実行可能な命令を備える、非一時的コンピュータ可読媒体。
［Ｃ６８］
ワイヤレス通信のためのコードを記憶する非一時的コンピュータ可読媒体であって、前記コードは、
狭帯域物理制御チャネルを受信することと、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別することと
を行うためにプロセッサによって実行可能な命令を備える、非一時的コンピュータ可読媒体。